(57)【要約】【課題】奥歯をしっかりと磨くことができる歯ブラシを提供することを課題とする。【解決手段】ハンドル部２と、ネック部３と、ヘッド部４と、刷掃部５と、ネック部３の前端からヘッド部４の背面の基端側に重なるように延出する補強部６とを備え、ヘッド部４は、厚みが２〜４ｍｍに設定され且つ横幅がハンドル部２の横幅よりも小さくなっており、ハンドル部２の軸線Ａに対して厚み方向内側に８°〜１４°傾くように形成され、ネック部３は、厚みと横幅がハンドル部２よりも小さく設定され、且つ前端が軸線Ａよりも厚み方向内側に位置するようにして湾曲し、補強部６は、横幅方向においてネック部３の先端よりも外側に広がる幅広部であって、ヘッド部４の背面の刷掃部５の後端よりも前後方向前方側の領域に重なるように形成された幅広部を有する、歯ブラシ。【選択図】図３
2022000290.tif 000002
【特許請求の範囲】
【請求項１】
棒状のハンドル部と、
ハンドル部の長手方向における前端から延出するネック部と、
該ネック部の長手方向における前端につながる板状のヘッド部と、
該ヘッド部における厚み方向内側の植毛面に立設された複数の毛によって構成される刷掃部と、
前記ネック部の前記前端から、前記ヘッド部における厚み方向外側の背面の基端側に重なるようにして延出する補強部と、を備え、
前記ヘッド部は、厚みが２〜４ｍｍに設定され、且つ横幅が前記ハンドル部の横幅よりも小さくなるように設定されるとともに、前記植毛面の先端が前記植毛面の基端よりも厚み方向内側に位置するように前記ハンドル部の軸線に対して８°〜１４°傾くように形成
され、
前記ネック部は、厚みと横幅が前記ハンドル部よりも小さく設定され、且つ前記前端が前記軸線よりも厚み方向内側に位置するようにして湾曲し、
前記補強部は、横幅方向において前記ネック部の前記前端よりも外側に広がる幅広部であって、前記ヘッド部の前記背面の前記刷掃部の後端よりも前後方向前方側の領域に重なるように形成された幅広部を有する、
歯ブラシ。
【請求項２】
前記ネック部の長手方向における寸法は、６０．０ｍｍ〜７０．０ｍｍに設定される、  請求項１に記載の歯ブラシ。
【請求項３】
前記刷掃部の毛の毛丈は、９．０ｍｍ〜１３．０ｍｍに設定される、
請求項１又は請求項２に記載の歯ブラシ。
【請求項４】
前記ヘッド部の前記背面から前記刷掃部の刷掃面までの寸法は、１１．０ｍｍ〜１７．０ｍｍに設定される、
請求項２又は請求項３に記載の歯ブラシ。
【請求項５】
前記ヘッド部の前記背面から前記刷掃部の刷掃面までの寸法は、前記厚み方向における前記ネック部の基端の位置から先端の位置までの距離以下に設定される、
請求項１乃至請求項４の何れか１項に記載の歯ブラシ。
【発明の詳細な説明】
【技術分野】
【０００１】
本発明は、歯ブラシ、特に、奥歯の磨き易さを向上させるように構成された歯ブラシに関する。
【背景技術】
【０００２】
上記歯ブラシとして、例えば、特許文献１に開示されているような、厚みが薄い小型のヘッド（歯ブラシヘッド部）を備えた歯ブラシが知られている。
【０００３】
かかる歯ブラシによれば、歯ブラシヘッド部が小型であるから、歯ブラシの先端側を口に挿し込んだ際に歯ブラシヘッド部が奥歯の手前側の歯等に干渉し難くなるため、歯ブラシヘッド部が奥歯に届き易くなり、毛束が奥歯に当たり易くなる。
【０００４】
このように、上記構成の歯ブラシは、奥歯への毛束の当て易さを高めることで、奥歯の磨き易さを向上させることができるようになっている。
【先行技術文献】
【特許文献】
【０００５】
【特許文献１】特開２０１３−３４７１８号公報
【発明の概要】
【発明が解決しようとする課題】
【０００６】
ところで、上記従来の歯ブラシにおいて、歯ブラシヘッド部は、厚みを薄くしている分剛性が低くなっているため、毛束を歯に押し付けた際に歯ブラシヘッド部がネックに対して外側に反るようにして撓んでしまうことがある。
【０００７】
この場合、使用者が歯ブラシに込めた力は、毛束に伝わる前に歯ブラシヘッド部の撓みによって減少してしまうため、毛束が奥歯に当たっていても、奥歯の汚れを落とせないことがある。
【０００８】
そこで、本発明は、かかる実情に鑑み、奥歯をしっかりと磨くことができる歯ブラシの提供を課題とする。
【課題を解決するための手段】
【０００９】
本発明の歯ブラシは、
棒状のハンドル部と、
ハンドル部の長手方向における前端から延出するネック部と、
該ネック部の長手方向における前端につながる板状のヘッド部と、
該ヘッド部における厚み方向内側の植毛面に立設された複数の毛によって構成される刷掃部と、
前記ネック部の前記前端から、前記ヘッド部における厚み方向外側の背面の基端側に重なるようにして延出する補強部と、を備え、
前記ヘッド部は、厚みが２〜４ｍｍに設定され、且つ横幅が前記ハンドル部の横幅よりも小さくなるように設定されるとともに、前記植毛面の先端が前記植毛面の基端よりも厚み方向内側に位置するように前記ハンドル部の軸線に対して８°〜１４°傾くように形成
され、
前記ネック部は、厚みと横幅が前記ハンドル部よりも小さく設定され、且つ前記前端が前記軸線よりも厚み方向内側に位置するようにして湾曲し、
前記補強部は、横幅方向において前記ネック部の前記前端よりも外側に広がる幅広部であって、前記ヘッド部の前記背面の前記刷掃部の後端よりも前後方向前方側の領域に重なるように形成された幅広部を有する。
【００１０】
上記構成の歯ブラシでは、ヘッド部が、厚み２〜４ｍｍであり、且つ横幅が前記ハンドル部の横幅よりも小さくなるように形成された、厚みと横幅が小さい小型のものであるため、歯ブラシを口に挿し込んだ際にヘッド部が歯と頬の間に入り易くなっている。
【００１１】
また、ヘッド部は、湾曲するネック部の前端に連続し、且つハンドル部の軸線よりも厚み方向内側に位置するとともに、植毛面の基端よりも先端の方が前記厚み方向内側に位置するように８°〜１４°傾いているため、ヘッド部を歯の並びに沿わせて口の奥まで進入
させ易くなっている。
【００１２】
このように、上記構成の歯ブラシは、ヘッド部を口の奥深くまで進入させ易くすることによって、刷掃部の毛先を奥歯の後ろ側に回り込ませ易くなっている。
【００１３】
さらに、ヘッド部の基端部の背面にはネック部の前端から延出する補強部が幅広く重なっているため、ヘッド部の基端部は、厚みが増すことによって剛性が高められている。そのため、毛束を歯に押し付けた際にネック部に対するヘッド部の撓みを防止することができ、これにより、使用者によって歯ブラシに込められた力の減少を抑えたうえで、この力を刷掃部に伝えることができる。従って、上記構成の歯ブラシによれば、刷掃部の毛を奥歯の裏側まで届かせたうえで、奥歯全体を刷掃部によって十分な力で磨くことができる。
【００１４】
以上のように、上記構成の歯ブラシは、奥歯の裏側であっても刷掃部の毛を当てて汚れを落とし易くすることによって、奥歯の磨き残しを減らすことができるようになっている。
【００１５】
本発明の歯ブラシにおいて、
前記ネック部の長手方向における寸法は、６０．０ｍｍ〜７０．０ｍｍに設定されていてもよい。
【００１６】
上記構成の歯ブラシによれば、奥歯の裏側、口腔内の奥側の歯列に刷掃部の毛を当てることが容易となる。
【００１７】
本発明の歯ブラシにおいて、
前記刷掃部の毛の毛丈は、９．０ｍｍ〜１３．０ｍｍに設定されていてもよい。
【００１８】
上記構成の歯ブラシによれば、歯や歯茎に刷掃部の毛が当たった際、毛腰が硬すぎず、且つ柔らかすぎない適度なブラッシング圧が得られる。
【００１９】
本発明の歯ブラシにおいて、
前記ヘッド部の前記背面から前記刷掃部の刷掃面までの寸法は、１１．０ｍｍ〜１７．０ｍｍに設定されていてもよい。
【００２０】
上記構成の歯ブラシによれば、奥歯の裏側や、歯列と口唇部や頬の裏側等、口腔内の狭い箇所において刷掃部の毛先を歯と歯茎に当て易くなる。
【００２１】
本発明の歯ブラシにおいて、
前記ヘッド部の前記背面から前記刷掃部の刷掃面までの寸法は、前記厚み方向における前記ネック部の基端の位置から先端の位置までの距離以下に設定されていてもよい。
【００２２】
上記構成の歯ブラシによれば、ヘッド部や、ネック部が歯から離れにくくなるため、ヘッド部を口の奥に進入させ易くなる。
【発明の効果】
【００２３】
以上のように、本発明の歯ブラシは、奥歯をしっかりと磨くことができるという優れた効果を奏し得る。
【図面の簡単な説明】
【００２４】
【図１】図１は、本発明の一実施形態に係る歯ブラシの斜視図である。
【図２】図２は、同実施形態に係る歯ブラシの側面図である。
【図３】図３は、同実施形態に係る歯ブラシの背面図である。
【図４】図４は、同実施形態に係る歯ブラシのヘッド部を背面側から見た拡大図である。
【図５】図５は、同実施形態に係る歯ブラシのヘッド部を植毛面側から見た拡大図である。
【図６】図６は、同実施形態に係る歯ブラシのヘッド部を正面から見た拡大図である。
【図７】図７は、同実施形態に係る歯ブラシの側面拡大図である。
【図８】図８は、歯の説明図である。
【発明を実施するための形態】
【００２５】
以下、本発明の一実施形態にかかる歯ブラシについて、添付図面を参照しつつ説明する。本実施形態に係る歯ブラシは、特に、奥歯の磨き易さを向上させるように構成されたものであり、より具体的に説明すると、図８に示すような、奥歯Ｔの外側Ｔ１よりも奥側に位置する裏側Ｔ２を磨き易き易さを向上させたものである。
【００２６】
本実施形態に係る歯ブラシ１は、図１に示すように、使用者が握るハンドル部２と、ハンドル部２の長手方向における前端から延出するネック部３と、該ネック部３の長手方向における前端につながる板状のヘッド部４と、該ヘッド部４の厚み方向内側に位置する植毛面４０に立設された複数の毛によって構成される刷掃部５と、前記ネック部３の前記前端から、前記ヘッド部４の背面４１の基端側に重なるようにして延出する補強部６と、を備えている。
【００２７】
ハンドル部２は、棒状である。本実施形態では、図２に示すように、ハンドル部２の軸線をハンドル軸線Ａと称する（図７参照）。
【００２８】
ネック部３は、厚み方向外側に向かって凸状に湾曲している。なお、ネック部３では、厚み方向における内面と背面の両方が厚み方向外側に向かって湾曲している。
【００２９】
ネック部３の頂部（最も厚み方向外側に位置している部分）は、該ネック部３の長手方向における中央領側の域内に位置しており、本実施形態では、この中央側の領域内であり且つ該ネック部３の中央位置よりも前端側に位置している。さらに、ネック部３の頂部は、厚み方向においては補強部６よりも外側に位置している（図６参照）。
【００３０】
ネック部３の前端は、ネック部３の基端よりも厚み方向内側に位置している。そのため、ネック部３の基端がハンドル軸線Ａ上に位置している一方で、ネック部３の先端は、ハンドル軸線Ａよりも厚み方向内側に位置している。
【００３１】
ネック部３の横幅は、基端が最も広くなっており、基端から先端に向かうにつれて徐々に小さくなっている（図３参照）。
【００３２】
ヘッド部４は、図４に示すように、ネック部３から延出するヘッド基部４２と、ヘッド基部４２の前端に連続するヘッド中部４３と、ヘッド中部４３の前端にさらに連続するヘッド先部４４と、を有する。
【００３３】
本実施形態のヘッド部４は、厚み方向から見た形状が長楕円状であるため、ヘッド基部４２の横幅は、基端（ネック部３に連続する一端）から前端側に向かうにつれて徐々に広がっている。また、ヘッド中部４３の横幅は、基端から前端まで一定であり、ヘッド先部４４の横幅は、基端から先端側に向かうにつれて徐々に狭くなっている。
【００３４】
これに伴い、ヘッド基部４２の外周側面４２０は、基端から前端側に向かうにつれて横幅方向外側に向かうようにして湾曲しており、ヘッド中部４３の外周側面４３０は、基端から前端側まで前後方向に沿って真っすぐに延びている。また、ヘッド先部４４の外周側面４４０は、基端から先端に向かうにつれて徐々に横幅が小さくなるように形成されており、前後方向前方側に凸となるように湾曲している。なお、図４に図示しているように、ヘッド基部４２の外周側面４２０とヘッド先部４４の外周側面４４０は、横幅方向外側に凸となるように湾曲している。
【００３５】
ヘッド部４の厚みは、基端から先端まで一定である。
【００３６】
刷掃部５は、図５に示すように、複数の毛を一つに束ねた複数の毛束５０によって構成されている。また、本実施形態の刷掃部５では、複数の毛束５０を前後方向に沿って並べた毛束５０の列が、横幅方向に並べて５つ形成されている。すなわち、本実施形態の歯ブラシ１は、５列タイプの歯ブラシ１である。
【００３７】
刷掃部５は、前後方向における先端部に位置する複数の毛束５０で構成されるつま先部５１と、後端部に位置する複数の毛束５０で構成される踵部５２と、つま先部５１と踵部５２との間で前後方向に沿って一列に並ぶ複数の毛束５０で構成される中部５３と、横幅方向における両側、すなわち、中部５３を境として横幅方向における一方側と他方側とに位置する複数の毛束５０で構成されている一対の脇部５４と、を有する。
【００３８】
つま先部５１は、前後幅よりも横幅の方が大きくなるように構成されている。すなわち、つま先部５１は、最も前方の毛束５０の前端から最も後方の毛束５０の後端までの前後幅よりも、横幅方向で最も外側に位置する一方の毛束５０の外端から他方の毛束５０の外端までの横幅の方が大きくなっている。また、つま先部５１は、厚み方向から見た形状が菱形状になっている。
【００３９】
踵部５２も、つま先部５１と同様に、前後幅よりも横幅の方が大きくなるように構成されており、また、厚み方向から見た形状が菱形状になっている。
【００４０】
脇部５４には、毛束５０の列が複数含まれており、また、横幅方向外側の毛束５０の列は、横幅方向内の毛束５０の列に対して前後方向後方側にずれた位置に配置されている。そのため、脇部５４の前端と後端とは、横幅方向外側に向かうにつれて前後方向後方側に向かうように傾いている。なお、踵部５２の前端と、脇部５４の後端とは、互いに平行又は略平行に形成されている。
【００４１】
複数の毛束５０には、構成している毛の種類（材質や形状）が異なる２種類の毛束５０Ａ、５０Ｂが含まれており、つま先部５１、踵部５２、中部５３を構成する毛束５０Ａの毛と、脇部５４を構成する毛束５０Ｂの毛は、それぞれ種類が異なるものとなっている。
【００４２】
つま先部５１、踵部５２、中部５３を構成する毛束５０の毛は、例えば、ポリブチレンテレフタレート製であり、ラウンドテーパー形状であり、脇部５４を構成する毛束５０の毛は、例えば、ポリブチレンテレフタレート製であればよい。
【００４３】
補強部６は、図４に示すように、横幅（横幅方向の寸法）がネック部３の先端（ネック部３の先端の幅）よりも広い幅広部と、横幅がネック部３の先端よりも狭い幅狭部と、を有する。
【００４４】
また、補強部６には、前後方向を基準とすれば、横幅が最も広い最大幅部６０よりも前後方向前方側に位置する補強前側領域６１と、該最大幅部６０よりも前後方向後方側に位置する補強後側領域６２とが含まれている。
【００４５】
補強前側領域６１では、前後方向前方側に向かうにつれて横幅が徐々に狭くなり、厚みも前後方向前方側に向かうにつれて徐々に狭くなっている。
【００４６】
補強後側領域６２では、前後方向後方側に向かうにつれて横幅が徐々に狭くなり、且つ基端の横幅がネック部３の先端と同じ横幅となっている。
【００４７】
また、補強部６は、横幅方向を基準とすれば、横幅方向において中央部に位置する補強中部６３と、横幅方向における補強中部６３の両側に連続し、且つ補強中部６３よりも急勾配となるように形成された補強縁部６４と、を有する（図６参照）。
【００４８】
補強中部６３と、ネック部３の背面３０とは、互いの境目に段差なく連続することで、１つの曲面を形成している。
【００４９】
補強中部６３は、最大幅部６０に含まれる部分の横幅が最も広くなるように形成されており、補強中部６３のうちの最大幅部６０よりも前後方向前方側の横幅は、前端側に向かうにつれて徐々に狭くなっている。一方で、補強中部６３のうちの最大幅部６０よりも前後方向後方側の横幅は、基端側から前方に向かうにつれて徐々に広くなっている。
【００５０】
また、補強縁部６４は、最大幅部６０に含まれる部分（前後方向における中央部）が、前後方向における前端と後端よりも横幅方向外側に位置するように湾曲している。すなわち、横幅方向外側に凸となるように湾曲している。
【００５１】
補強部６は、ヘッド部４を厚み方向で真っ直ぐ見たときに、幅広部が踵部５２と重なる位置に形成されている。また、本実施形態の補強部６は、最大幅部６０が刷掃部５の後端（踵部５２の最後部に位置する毛束５０の後端）よりも前後方向前方側、より具体的には、刷掃部５の後端と脇部５４の後端の間に位置するように形成されている。なお、本実施形態の最大幅部６０は、ヘッド部４を厚み方向からみたときに、踵部５２の最も後ろ側に位置する毛束５０と重なる位置を通るようにして形成されている。
【００５２】
また、最大幅部６０の横幅方向における両端は、ヘッド基部４２の横幅方向における両端よりも内側に位置している。補強後側領域６２（補強縁部６４の後端部）の横幅方向における両端も、ヘッド基部４２の横幅方向における両端よりも内側に位置しており、前後方向前方側に向かうにつれてヘッド基部４２の両端との間隔が広がるように形成されている。なお、横幅方向においては、刷掃部５の外端（脇部５４の外端）の配置位置が、最大幅部６０の両端よりも外側であり且つヘッド部４の外周端よりも内側となるように設定されている。
【００５３】
ここで、歯ブラシ１の各構成同士の寸法関係、位置関係について説明する。
【００５４】
ヘッド部４は、図７に示すように、植毛面４０がハンドル軸線Ａに対して８°傾くように形成されており、植毛面４０は、先端が後端よりも厚み方向内側に位置するように傾斜している。なお、ハンドル軸線Ａに対するヘッド部４の傾きは、８°〜１４°（本実施形態では８°）に設定されていればよい。
【００５５】
また、ヘッド部４の背面４１から刷掃部５の毛先までの寸法（厚み方向での寸法）は、例えば、１１.０ｍｍ〜１７.０ｍｍであればよい。なお、ヘッド部４の厚みは、３.０ｍｍ〜３．５ｍｍ、刷掃部５の厚み（植毛面４０から毛先までの毛丈）は、９.０ｍｍ〜１３.０ｍｍであればよい。なお、ヘッド部４の厚みと刷掃部５の厚みとは、１：３であることが好ましい。
【００５６】
さらに、刷掃部５の先端面には、ネック部３の基端部も位置している。
【００５７】
図３に示すように、ヘッド部４の横幅の最大値は、ハンドル部２の横幅よりも小さくなっており、例えば、ヘッド部４の横幅は、１０.０ｍｍ〜１２.０ｍｍ、ハンドル部２の横幅は１１.０ｍｍ〜１５.０ｍｍに設定されていればよい。
【００５８】
また、ヘッド部４の横幅の最大値は、ネック部３の先端の横幅よりも広くなっている。なお、ネック部３は、例えば、基端の横幅が１１.０ｍｍ、先端の横幅が４．５ｍｍとなっていればよい。
【００５９】
本実施形態に係る歯ブラシ１の構成は、以上の通りである。本実施形態の歯ブラシ１によれば、ヘッド部４が、厚み２〜４ｍｍであり、且つ横幅が前記ハンドル部２の横幅よりも小さくなるように形成された、厚みと横幅が小さい小型のものであるため、歯ブラシ１を口に挿し込んだ際にヘッド部４が歯と頬の間に入り易くなっている。
【００６０】
また、ヘッド部４は、湾曲するネック部３の前端に連続し、且つハンドル部２の軸線よりも厚み方向内側に位置するとともに、植毛面４０の基端よりも先端の方が前記厚み方向内側に位置するように８°傾いているため、ヘッド部４を歯の並びに沿わせて口の奥まで進入させ易くなっている。
【００６１】
このように、上記構成の歯ブラシ１は、ヘッド部４を口の奥深くまで進入させ易くすることによって、刷掃部５の毛先を奥歯の後ろ側に回り込ませ易くなっている。なお、ネック部３が歯の並びに合わせて厚み方向外側に湾曲していることから、使用者がハンドル部２を回して歯を磨くとき（いわゆる、ローリング法により歯を磨くとき）に歯に対するネック部３の干渉を抑えつつ、ヘッド部４を大きく旋回させることにより、歯を十分な力で磨くことができるようになる。
【００６２】
また、刷掃部５の毛の毛丈が９．０ｍｍ〜１３．０ｍｍに設定されていることから、歯や歯茎に刷掃部の毛が当たった際、毛腰が硬すぎず、且つ柔らかすぎない適度なブラッシング圧が得られるようになっている。
【００６３】
さらに、ヘッド部４の背面４１の基端部にはネック部３の前端から延出する補強部６が幅広く重なっているため、ヘッド部４の基端部は、厚みが増すことによって剛性が高められている。そのため、毛束５０を歯に押し付けた際にネック部３に対するヘッド部４の撓みを防止することができ、これにより、使用者によって歯ブラシ１に込められた力の減少を抑えたうえで、この力を刷掃部５に伝えることができる。従って、上記構成の歯ブラシ１によれば、刷掃部５の毛を奥歯の裏側まで届かせたうえで、奥歯全体を刷掃部５によって十分な力で磨くことができる。
【００６４】
以上のように、本実施形態の歯ブラシ１は、奥歯の裏側であっても刷掃部５の毛を当てて汚れを落とし易くすることによって、奥歯の磨き残しを減らすことができ、これにより、奥歯をしっかりと磨くことができるという優れた効果を奏し得る。
【００６５】
しかも、ネック部３は、ネック部３の前端がネック部３の基端よりも厚み方向において内側に位置し且つ頂部が厚み方向において補強部６よりも外側に位置するようにして湾曲しているため、ネック部３自体も厚み方向外側への撓みが抑えられる。
【００６６】
また、補強中部６３とネック部３の背面３０とは、互いの境目に段差がない状態で連続することで１つの曲面を形成しているため、ヘッド部４は、いっそう厚み方向外側に撓みにくくなっている。
【００６７】
さらに、踵部５２を使って歯を磨くとき（いわゆる、踵磨きを行うとき）、ヘッド部４の基端部には歯から厚み方向外側に押し返される力が集中するが、本実施形態の補強部６は、ヘッド部４を厚み方向で真っ直ぐ見たときに、幅広部が踵部５２と重なるように形成されているため、この場合においても、ヘッド部４の基端部がネック部３に対して厚み方向外側に撓まないようにすることができる。
【００６８】
なお、本実施形態の補強部６では、最大幅部６０、補強前側領域６１、補強後側領域６２のうちのヘッド部４の背面４１に重なっている部分がそれぞれヘッド部４の外端よりも内側に位置しており、さらに、補強前側領域６１と補強後側領域６２とは、最大幅部６０から離れるにつれて横幅が狭くなるように丸みを帯びた形状になっている。
【００６９】
そのため、口に挿し込んだ歯ブラシ１を長手方向に沿って動かすとき（例えば、口の奥に挿し込んだり、口の奥から引き抜いたり、往復同させたりするとき）に補強部６が頬や歯に干渉してしまうことを抑えることができ、歯ブラシ１をスムーズに動かすことができるようになる。
【００７０】
また、本実施形態の歯ブラシ１では、ネック部３の長手方向における寸法が６０．０ｍｍ〜７０．０ｍｍに設定されていてるため、奥歯の裏側、口腔内の奥側の歯列に刷掃部の毛を当てることが容易となる。
【００７１】
さらに、ヘッド部４の背面４１から刷掃部５の刷掃面までの寸法が１１．０ｍｍ〜１７．０ｍｍに設定されていることから、奥歯の裏側や、歯列と口唇部や頬の裏側等、口腔内の狭い箇所において刷掃部の毛先を歯と歯茎に当て易くなる。
【００７２】
なお、本発明に係る歯ブラシは、上記実施形態に限定されるものではなく、本発明の要旨を逸脱しない範囲内において種々の変更を加え得ることは勿論である。
【００７３】
上記実施形態において、刷掃部５は、前記毛束５０の列を５つ備えるように構成されていたが、毛束５０の列の数は５列でなくてもよい。
【符号の説明】
【００７４】
１…歯ブラシ、２…ハンドル部、３…ネック部、４…ヘッド部、５…刷掃部、６…補強部、３０…背面、４０…植毛面、４１…背面、４２…ヘッド基部、４３…ヘッド中部、４４…ヘッド先部、５０…毛束、５０Ａ、５０Ｂ…毛束、５１…つま先部、５２…踵部、５３…中部、５４…脇部、６０…最大幅部、６１…補強前側領域、６２…補強後側領域、６３…補強中部、６４…補強縁部、４２０…ヘッド基部の外周側面、４３０…ヘッド中部の外周側面、４４０…ヘッド先部の外周側面、Ａ…ハンドル軸線
【図１】
2022000290.tif 000003
【図２】
2022000290.tif 000004
【図３】
2022000290.tif 000005
【図４】
2022000290.tif 000006
【図５】
2022000290.tif 000007
【図６】
2022000290.tif 000008
【図７】
2022000290.tif 000009
【図８】
2022000290.tif 000010